(57)【要約】【課題】あるサービスを提供するいくつかの施設の一つに対して、当該サービスを車両Ａ内から予約する方法を提供する。【解決手段】車両Ａは予約サーバ３とデータ通信を行なうように構成されたナビゲーション装置１を備え、サービス提供施設は夫々、読み取り機１１，１２を備える。ナビゲーション装置１は、車両Ａが走行して向かっている区域内にあるサービス提供施設を表示する。ユーザは、ナビゲーション装置１を使用して、表示されているサービス提供施設の一つを選択し、所望のサービスの予約をユーザに割り当てられた識別データと共に予約サーバ３に伝える。サービス提供施設に到着すると、読み取り機１１，１２が識別データを読み取り、そのように読み取られたユーザ識別データが、予約サーバ３に伝えられたユーザ識別データと一致すれば、予約したサービスへのアクセスがユーザに与えられる。【選択図】図１
2008268218.tif 000002
【特許請求の範囲】
【請求項１】
所定サービスを提供するいくつかの施設の一つに対して、当該サービスを車両（Ａ）内から予約する方法において、
予約サーバ（３）とデータ通信を行なうように構成されたナビゲーション装置（１）を備える車両（Ａ）と、
各々読み取り機（１１，１２）を有するサービス提供施設と、を備え、
前記ナビゲーション装置（１）は選択区域内にある前記サービス提供施設を表示し、
前記ナビゲーション装置（１）を使用して、前記サービス提供施設の一つを選択し、前記サービス提供施設におけるサービスの予約を、ユーザに割り当てられた識別データと共に前記予約サーバ（３）に伝え、
前記サービス提供施設に到着すると、前記ユーザ識別データはその施設の前記読み取り機（１１，１２）により読み取られ、
そのように読み取られたユーザ識別データが、前記予約サーバ（３）に伝えられたユーザ識別データと一致すれば、予約したサービスへのアクセスがユーザに与えられる、
ことを特徴とする予約方法。
【請求項２】
前記サービス提供施設の選択後及びデータ通信機能を備えた前記ナビゲーション装置（１）によりサービスの予約を伝える前に、予約リクエスト及び選択したサービス提供施設と関連した識別データを前記予約サーバ（３）に送付し、前記予約サーバ（３）は選択したサービス提供施設で利用可能なサービスについて通知が事前になされている、
ことを特徴とする請求項１の予約方法。
【請求項３】
前記サービス提供施設と関連した識別データは、前記ナビゲーション装置（１）により判定されるその地理的座標からなる、
ことを特徴とする請求項２の予約方法。
【請求項４】
前記ナビゲーション装置（１）は、ナビゲータディバイス（２）と、予約サーバ（３）とデータ通信する通信端末（９）と、を備える、
ことを特徴とする請求項１の予約方法。
【請求項５】
前記ユーザ識別データは、前記ナビゲータディバイス（２）又は前記通信端末（９）を識別するデータからなる、
ことを特徴とする請求項４の予約方法。
【請求項６】
前記ユーザ識別データは、前記通信端末（９）とサービス提供施設の前記読み取り機（１１，１２）が読み取り可能な電子式データ記憶媒体に記憶される、
ことを特徴とする請求項４の予約方法。
【請求項７】
前記ナビゲータディバイス（２）と前記通信端末（９）は、近接通信によりリンクされている、
ことを特徴とする請求項４の予約方法。
【請求項８】
前記ナビゲータディバイス（２）と前記通信端末（９）及び／又は前記電子式データ媒体と前記通信端末（９）は、近接通信によりリンクされている、
ことを特徴とする請求項６の予約方法。
【請求項９】
前記ユーザ識別データは、車両のライセンス番号からなる、
ことを特徴とする請求項１の予約方法。
【請求項１０】
前記ユーザ識別データは、サービス提供施設の前記読み取り機（１１，１２）により近接通信技術を使用して読み取られる、
ことを特徴とする請求項１乃至８のいずれかの予約方法。
【請求項１１】
前記サービス提供施設の前記読み取り機（１１，１２）は、車両の登録プレートを読み取り可能である、
ことを特徴とする請求項１の予約方法。
【請求項１２】
前記予約サーバ（３）は、前記サービス提供施設にあるデータベース（６，７）と接続され、各サービス提供施設で利用可能なサービスを記憶する、
ことを特徴とする請求項１の予約方法。
【請求項１３】
前記サービス提供施設は、駐車場（４，５）であり、前記サービスは、前記駐車場（４，５）の車両の駐車位置である、
ことを特徴とする請求項１乃至１２のいずれかの予約方法。
【請求項１４】
前記駐車場（４，５）のユーザに割り当てられた駐車位置は、車内または駐車場（４，５）の入り口にある表示手段（８）でユーザに伝えられる、
ことを特徴とする請求項１３の予約方法。
【請求項１５】
前記駐車場（４，５）のユーザに割り当てられた駐車位置は、駐車場の入り口にあるプリンタによりチケットに印刷される、
ことを特徴とする請求項１３の予約方法。
【請求項１６】
前記サービス提供施設は、部屋ないし座席を有する、
ことを特徴とする請求項１乃至１２のいずれかの予約方法。
【請求項１７】
前記サービス提供施設に到着してユーザ識別データを読み取った後、予約を特定の駐車位置、座席または部屋に関連づける、
ことを特徴とする請求項１３または１６の予約方法。
【請求項１８】
予約済みの駐車位置、座席あるいは部屋を、光学的または機械的手段により示す、
ことを特徴とする請求項１３または１６の予約方法。
【請求項１９】
前記サービス提供施設は、レジャー施設からなる、
ことを特徴とする請求項１乃至１２のいずれかの予約方法。
【請求項２０】
前記サービス提供施設は、輸送施設からなる、
ことを特徴とする請求項１乃至１２のいずれかの予約方法。
【発明の詳細な説明】
【技術分野】
【０００１】
本発明は、あるサービスを提供するいくつかの施設の一つに対し、車両内からそのサービスを予約する方法に関する。
【背景技術】
【０００２】
あるサービスを所望し、そのサービスを提供する施設に近づいている自動車の運転手は、その施設に到着すると、望んでいたサービスはもう受けられないと分かることがある。この時点で、所望のサービスが得られる施設を探すため、更に運転を続ける必要があることがある。
【０００３】
例えば、複数の駐車場などの施設がある、市街のある区域を考える。運転手は通常、一方で自分の目的場所に最も近く、他方でまだ空いている駐車位置を期待できる施設に近づく。しかし多くの場合、その期待の中で、空き駐車場を最後に見つけるまで、ひとつの駐車場から別の駐車場まで走り続けなければならず、落胆することがある。
【０００４】
【特許文献１】本出願人は、出願時において、車両内からサービス提供施設を予約する方法について、体系的に記した技術文献を知らないため、開示すべき先行技術文献情報はない。
【発明の開示】
【発明が解決しようとする課題】
【０００５】
本発明の目的は、所望のサービスが得られる施設の探索を実質的に簡略化することである。
【課題を解決するための手段】
【０００６】
上記の目的は請求項１によって特徴付けられる予約方法の発明により達成できる。即ち、本発明による方法では、あるサービスを提供するいくつかの施設の一つに対して、当該サービスを車両（Ａ）内から予約する方法において、車両（Ａ）は予約サーバ（３）とデータ通信を行なうように構成されたナビゲーション装置（１）を備える。サービス提供施設は夫々、読み取り機（１１，１２）を備え、ナビゲーション装置（１）は選択した区域内にあるサービス提供施設を表示し、ユーザは、ナビゲーション装置（１）を使用して、サービス提供施設の一つを選択し、サービス提供施設におけるサービスの予約をユーザに割り当てられた識別データと共に予約サーバ（３）に伝え、ユーザがサービス提供施設に到着すると、ユーザ識別データがその施設の読み取り機（１１，１２）により読み取られ、そのように読み取られたユーザ識別データが、予約サーバ（３）に伝えられたユーザ識別データと一致すれば、予約したサービスへのアクセスがユーザに与えられる。
【０００７】
更に、本発明の方法の利点となる実施例を、従属項により示す。
【０００８】
サービスを提供する施設を見つけ、その施設の所望のサービスを予約するため、本発明ではＧＰＳディバイスなどのナビゲーション装置を備えた車両を用意する。ナビゲータディバイスは車内に設置するか、車で運べる携帯装置でもよい。ナビゲータ装置は、サービス提供施設で利用可能なサービスを搭載した予約サーバとデータ通信するように構成されている。
【０００９】
このため、各サービス提供施設は付随するデータベースを備え、予約サーバは当該施設でどのようなサービスが利用可能かについて問い合わせ行なう。
【００１０】
第一ステップとして、ユーザ、すなわち自動車運転手や車内の別の乗員は、所望のサービスが利用可能な施設を選択する。このため、ナビゲータ装置に目標アドレスや目標エリアを入力すると、その入力に応えて、ナビゲータ装置のディスプレイは、その目標アドレス近くにあって所望のサービスを提供する１つないしいくつかの施設を画面に表示する。ユーザはそれらの施設の中から１つを選ぶ。
【００１１】
次に、ユーザが選択した施設には、ナビゲータに表示された施設の地理的座標などの予約を有効にするのに役立つ識別データが発行される。ユーザは次に、それらの識別データを元に、データ通信機能を備えたナビゲータ装置を利用したデータ通信により、予約サーバに予約問い合わせを行なうことができる。
【００１２】
この点に関して、ナビゲータ装置はそれ自身、予約サーバと直接的なデータ通信を行なうように構成でき、あるいは、追加の通信端末を備えて、ナビゲータ装置にデータ通信機能を持たせることができる。追加の通信端末は、例えば携帯電話や無線ＬＡＮリンクで構成できる。次に予約サーバは、利用可能性について選択施設が提供するサービスのサーバに問い合わせし、その情報を通信端末ないしナビゲータ装置に直接、返信できる。
【００１３】
サービスが利用可能でない場合は、予約サーバはユーザにそのナビゲータ装置を通して、サービスが利用可能な最も近い施設を通知し、ユーザがそこに予約できるようにする。
【００１４】
サービスが利用可能な場合は、ユーザは予約を最終化、すなわち、ナビゲータディバイスないし通信端末を利用して予約を確認する。この過程で、ユーザ識別データが予約サーバに送られる。
【００１５】
そのようなユーザ識別データは、電話番号や携帯番号のような、ナビゲータディバイスや通信端末を識別するデータとすることができるが、ユーザの車両の登録プレート番号などの、一意的にユーザや車両に帰属可能な、どのようなデータでもよい。あるいは、識別データを記憶カードのような別の電子式データ記憶媒体に保存することもできる。
【００１６】
予約とユーザＩＤデータは、予約サーバによりオンラインで、サービスを提供する施設のデータベースに送ることができる。ユーザがサービス提供施設に到着すると、その場にあって各々、サービス提供施設のデータベースと予約サーバとにリンクされた読取り手段が、ユーザを識別するデータを読み取る。ＩＤデータはサービス提供施設で、近接通信（ＮＦＣ）システムなどのＲＦＩＤ手段により読み取ることができる。その場合、ユーザ識別データを、ＮＦＣ装置の連続番号のようなＩＤデータとすることもできる。
【００１７】
識別データが車両の登録番号からなる場合は、車両の登録プレートを読み取り可能な読み取り装置をサービス提供施設の入り口で使用できる。
【００１８】
読み取り機により読み込まれた識別データが、予約サーバにより連絡されたユーザＩＤと合致すれば、ユーザには所望のサービスに対するアクセスが与えられる。
【００１９】
同時に、自動車の登録プレート番号などの予約をするために使用したユーザＩＤデータ、ナビゲータディバイスないし通信端末のＩＤデータ、あるいは電子データ記憶媒体に記憶されたＩＤデータを使用して、サービスの支払いを行なうことができる。
【００２０】
サービス提供施設が駐車場で、その駐車場の車両の駐車位置がサービスそのものとするならば、ＩＤ読み取り機をその駐車場の入り口に設置できる。駐車場は屋内ないし屋外駐車場でもよい。
【００２１】
駐車場の駐車位置が一旦予約され、読み取り機が読み取ったユーザＩＤデータが予約サーバから連絡されたユーザＩＤデータと合致すると、入り口が開き、ユーザが指定した駐車位置が空いている。
【００２２】
この点に関して、駐車場はそれぞれ個別の駐車位置をモニタする手段や階別のカウントシステムを備えることができる。位置モニタや階別のカウントシステムに問い合わせると、ユーザには入り口で、空いている駐車位置が告げられる。このために、入り口にディスプレイを設けることができ、あるいはナビゲータディバイスや携帯電話のディスプレイに空き位置を示すことができる。更に、ナビゲータディバイスや携帯電話の拡声器のような聴覚通信手段も可能である。
【００２３】
更に、入り口にプリンタを設けて、ユーザに発行するスリップに、階層や駐車位置番号を印刷することもできる。
【００２４】
指定後、指定された駐車位置には、予約済のマークが付けられる。これは、光の表示器やメッセージディスプレイなどの、その位置に設置した信号手段により光学的に行なうことができる。このようにすることで、名前や車両の登録プレート番号その他のＩＤデータも表示できる。
【００２５】
本発明は、駐車場での駐車位置の予約に限定されず、一般に、サービスを提供するいくつかの施設の一つを選択した後に、車内からそのサービスを予約することを意図としている。サービス提供施設はどのような関心地点でもよい。その関心地点ないしサービス提供施設はレストランやホテルでもよく、サービスはレストランの座席やホテルの部屋から構成され、その場合、読み取り機は例えば、入り口や受付デスクあるいは予約済の部屋のドアに設置することができる。更にサービス提供施設は、座席を有するイベント場所である、映画館や劇場などでもよい。従って、ユーザに与えられたＩＤデータは、ユーザが持つデータ記憶媒体に記憶することもできる。
【００２６】
更に代わりに、関心地点はレジャー施設でもよい。従って例えば、市街地などの目的区域に近づいているユーザは、スポーツスタジアムや映画館、公共水泳プールなどの複数のレジャー施設を呼び出してナビゲータ装置に表示し、ナビゲータ装置を使ってそれらの施設の一つを選択する。この場合、ユーザはナビゲータ装置を使って、予約サーバに予約リクエストと共にレジャー施設に割り当てられたＩＤを送付する。予約サーバは、レジャー施設自身から予約サーバに伝えられた、ユーザの空き収容能力としての利用可能性を持っている。ユーザは次に、データ通信用に構成されたナビゲータ装置を使用して、空きの収容能力を持つレジャー施設に対して、予約サーバを通して予約を入れる。
【００２７】
更に、関心地点は、スキーリフトやケーブルカーなどのレジャー輸送施設などの輸送施設とすることができる。
【００２８】
したがって、スキー区域への道中、ユーザは、ナビゲータ装置のディスプレイを使っていくつかのリフトなどの個人輸送施設を表示し、その中から一つを選択できる。選択に際して、ユーザはナビゲータ装置を使用して、予約リクエストと共に個人輸送施設を識別するデータを、予約サーバに送付できる。予約サーバには様々な個人輸送施設の利用可能性が、待ち合わせ期間などの形で知らされている。
【００２９】
次に、ユーザはデータ通信機能を備えたナビゲータ装置を使い、所望の待ち合わせが少ない輸送施設に、予約サーバを介して予約を入れる。このため、ナビゲータ装置を使用して予約サーバに、ユーザに与えられたＩＤデータを連絡する。レジャーないし輸送施設は、例えば、入り口やアクセスに読み取り機を設置できる。ユーザが施設に入ると、読み取り機は、ユーザが持っているデータ記憶媒体からユーザに割り当てられたＩＤデータを感知する。予約が入れられたとき、予約サーバはユーザＩＤデータを選択施設に連絡しており、そのデータは読み取り機に供給されている。予約サーバから送られたユーザＩＤが、読み取り機が確認したユーザＩＤと合致すれば、ユーザにはレジャーや輸送施設へのアクセスが与えられる。
【００３０】
リフトや個人的輸送施設の代わりに、関心地点ないしサービス提供施設を、大きなスキー区域内のいくつかのスキー場のとすることもできる。あるスキー場にある読み取り機がデータ記憶媒体から読み取ったユーザ割り当て識別データが予約サーバに送られたＩＤデータと合致すれば、ユーザには、当該スキー場のリフトや個人的交通手段の全てではなくとも、その一部を利用する権利が与えられる。
【００３１】
各々の施設に到着してユーザＩＤを読み取った後、予約を特定の座席、駐車位置あるいは部屋に適用することができる。更に、駐車位置や、座席、部屋の予約状態を、光学的ないし機械的手段により示すことができ、前者としては例えば、ディスプレイに車両の免許プレート番号を示したり、後者としては、部屋の場合はキーにより、駐車位置の場合は機械的バリヤーにより示すことができる。
【発明を実施するための最良の形態】
【００３２】
以下に本発明を、添付の図面を参照し駐車位置の予約を例にして、より詳細に示す。図１により、予約手続きに関わる様々なステップを概略的に示す。
【００３３】
以下は更に、本発明の実施例を添付の図面を参照して詳細に示し、一枚の図面により、駐車位置の予約手続きに関わる様々なステップを概略的に示す。
【００３４】
図１を参照すると、車両Ａは例えばナビゲータディバイス２からなるナビゲーション装置１を備えている。ナビゲーション装置１は、様々な駐車場４，５の空いている駐車位置の利用可能性に関する情報を受けるように構成した予約サーバ３とデータ通信を行なう機能を備えている。
【００３５】
このため、夫々の駐車場４，５は、各々付随のデータベース６ないし７と備え、駐車場４，５の空いている駐車位置の利用可能性に関して予約サーバ３から問い合わせがなされる。
【００３６】
第１段階では、車両Ａ内のユーザは駐車したいと望む駐車場４，５に移動する。このため、ナビゲータディバイス２に目標住所を入力し、それによりディスプレイ８は目標住所の近くにある駐車場４，５を表示する。
【００３７】
次にユーザは、駐車場４，５の一つを選択し、選択された駐車場は、それに割り当てられた識別データを持ち、後に予約のために使用する。それらの識別データはナビゲータディバイス２に表示される、駐車場４，５の座標を含めることができる。ユーザは、それらの識別データを元に、データ通信機能により予約リクエストを予約サーバ３に送付する。このため、ナビゲーション装置１を、予約サーバ３と直接データ通信するように構成することができる。あるいは、携帯電話のような追加の送信機９を使って、車両から予約サーバ３へデータを送信できる。それに応えて、予約サーバ３はオンラインで駐車場４，５のデータベース６、７に、利用可能な駐車位置について問い合わせを行い、その結果情報を直接、ナビゲータディバイス２ないし通信端末９に報告する。即ち、ユーザに、駐車場４、５に駐車位置があるかどうかが告げられる。
【００３８】
駐車位置が空いていなければ、予約サーバ３はナビゲータディバイス２のディスプレイ８でユーザに、ユーザが予約できるように駐車位置がある最も近い駐車区域４，５を通知する。
【００３９】
駐車位置を予約するため、ナビゲーション装置１を使用して予約サーバ３に、予約そのものと共にユーザに割り当てられた識別データを送る。
【００４０】
ユーザ割り当て識別データには、ナビゲータディバイス２ないし通信端末９を識別するデータ、例えば携帯番号で構成できる。識別データは、例えば近接通信（ＮＦＣ）、すなわち、短距離データリンクによりナビゲータディバイス２から読み取ることができる。
【００４１】
更に、ユーザ割り当て識別データ（ＮＦＣなどの通信端末９により読み取られ、通信端末９により予約サーバ３に送信される）は、ＲＦＩＤカードのようなＲＦＩＤ部材などの電子式データ記憶媒体に記憶させることができる。
【００４２】
予約とユーザ割り当て識別データは、駐車場４，５のデータベース６，７に供給される。ユーザの車両Ａが駐車場４，５に到着すると、駐車場４，５の入り口の読み取り機１１，１２がユーザ識別データを読み取る。このため、読み取り機１１，１２は、それぞれの駐車場４，５のデータベース６，７とリンクされている。読み取り機１１，１２によりナビゲータディバイス２、通信端末９ないしデータ記憶媒体からユーザ識別データを読み取ると、ＮＦＣ技術も使用できる。
【００４３】
読み取り機１１，１２により読まれたユーザ識別データが、予約サーバ３がデータベース６，７に伝えたユーザ識別データと合致すると、駐車場への入り口は開かれ、ユーザに割り当てられた駐車位置が例えばナビゲータディバイス２のディスプレイ８に表示する。
【図面の簡単な説明】
【００４４】
【図１】駐車位置の予約手続きに関わる様々なステップを示す概略図である。
【符号の説明】
【００４５】
１    ナビゲーション装置
２    ナビゲータディバイス
３    予約サーバ
４，５  駐車場
６，７  データベース
８    ディスプレイ
９    通信端末
１１，１２  読み取り機
【図１】
2008268218.tif 000003